(57)【要約】【課題】壁掛け対応ときに容易に表示装置本体側に回動可能で且つ表示装置本体に開口部を残すことなく見栄えもよく、別梱包の必要がなく製品全体の梱包サイズを小さく出来る表示装置を提供する。【解決手段】表示面を有する表示装置本体１０と、前記表示装置本体１０を起立状態で支持するスタンドとを備える表示装置１において、前記スタンドは、前記表示装置本体の下部に垂設された各枢軸３０４に、該枢軸３０４回りに回動可能に取り付けられている足部３００、３００Ａを２つ有する。【選択図】図３
2010271639.tif 000002
【特許請求の範囲】
【請求項１】
パネル型の表示装置における表示面を有する表示装置本体を支持するスタンドにおいて、
前記表示装置本体の下部に垂設された枢軸に、該枢軸回りに回動可能に取り付けられている足部を２つ有することを特徴とするスタンド。
【請求項２】
前記２つの足部は前記枢軸のそれぞれに沿って上下移動可能に構成され、
前記２つの足部を上方へ付勢する付勢手段をさらに備えることを特徴とする請求項１に記載のスタンド。
【請求項３】
パネル型の表示装置の表示面を有する表示装置本体を支持するスタンドにおいて、
前記表示装置本体の下部に垂設されているピンが移動可能に挿嵌されている足部長孔がそれぞれ形成されている２つの足部と、
連結軸で前記２つの足部の各一端部と枢動自在に連結され、前記２つの足部を、両足部長孔が前記ピンに沿って連動しながら回動させるように操作する操作杆と
を有することを特徴とするスタンド。
【請求項４】
前記連結軸は、前記表示装置本体の底面に開設されている前後に長い案内孔に挿嵌されていることを特徴とする請求項３に記載のスタンド。
【請求項５】
被取り付け物への取り付け用の取り付け部と、
基体及び前記基体を覆って挿通孔が形成されているカバーを含む足部と、
前記挿通孔に挿通されて上端部が前記取り付け部に固定され、下端部が前記足部の挿通孔より大きい抜け止め部が形成されている枢軸と、
前記カバー及び前記抜け止め部の間に位置して前記枢軸に嵌合されている圧縮バネと
を備えることを特徴とするスタンド部材。
【請求項６】
表示面を有する表示装置本体と、前記表示装置本体を支持するスタンドとを備える表示装置において、前記スタンドは、前記表示装置本体の下部に垂設された枢軸に、該枢軸回りに回動可能に取り付けられている足部を２つ有することを特徴とする表示装置。
【請求項７】
前記２つの足部の前記表示装置本体に対する回動を規制する規制手段をさらに備えることを特徴とする請求項６に記載の表示装置。
【請求項８】
前記２つの足部は、前記枢軸のそれぞれに沿って上下移動可能に構成され、
前記表示装置は、前記２つの足部を上方へ付勢する付勢手段をさらに備えることを特徴とする請求項７に記載の表示装置。
【請求項９】
前記表示装置本体の底面は、前記２つの足部の形状それぞれと対応する形状を有する２つの凹部が形成されていることを特徴とする請求項７に記載の表示装置。
【請求項１０】
前記規制手段は、
前記２つの足部の上面それぞれに形成されている２つのリブと、
前記２つのリブの形状それぞれと対応し、前記表示装置本体の底面に形成されている前記表示面と交差する方向の２つの凹溝と
によって構成されていることを特徴とする請求項７に記載の表示装置。
【請求項１１】
前記付勢手段は前記枢軸に嵌合されているコイルバネであることを特徴とする請求項８に記載の表示装置。
【請求項１２】
前記規制手段は、
前記２つの足部の上面それぞれに垂設されている２つのピンと、
前記足部が前記表示面に沿う方向になるように回動された場合における前記２つのピンの位置それぞれと対応して前記表示装置本体の底面に形成されている２つのピン挿入孔と
によって構成されていることを特徴とする請求項７に記載の表示装置。
【請求項１３】
前記枢軸に嵌合され、一端が前記表示装置本体に係止され、他端が前記２つの足部に係止され、前記表示面と交差する方向へ該足部を付勢するねじりバネをさらに有することを特徴とする請求項７から１２のいずれか一つに記載の表示装置。
【請求項１４】
表示面を有する表示装置本体と、前記表示装置本体を支持するスタンドとを備える表示装置において、
前記スタンドは、
前記表示装置本体の下部に垂設されているピンが移動可能に挿嵌されている足部長孔がそれぞれ形成されている２つの足部と、
連結軸で前記２つの足部の各一端部と枢動自在に連結され、前記２つの足部を、両足部長孔が前記ピンに沿って連動しながら回動させるように操作する操作杆と
を有することを特徴とする表示装置。
【請求項１５】
前記連結軸は、前記表示装置本体の底面に開設されている前後に長い案内孔に挿嵌されていることを特徴とする請求項１４に記載の表示装置。
【発明の詳細な説明】
【技術分野】
【０００１】
本発明は液晶表示装置、プラズマ表示装置等の薄型の表示装置に設けられるスタンド、スタンド部材及び該スタンドを備える表示装置に関する。
【背景技術】
【０００２】
液晶表示装置等の薄型の表示装置は、表示面を有する表示部並びに該表示部の周縁部及び後側を被覆するキャビネットを含む表示装置本体と、据え置きとして使用する際前記表示装置本体を起立状態で支持するスタンドとを備える。このようにスタンドが表示装置本体を起立状態で支持する薄型の表示装置にあっては、スタンドを表示装置本体に取り付ける際には、スタンドを表示装置本体の底面側から表示装置本体に設けられている取り付け穴に挿入してビスにより固定する必要がある。また、壁に掛けて使用する場合、表示装置本体からスタンドを取り外すことが必要である。
【０００３】
例えば、特許文献１は、前面に液晶パネルを有する表示ユニット、液晶パネルの表示窓を備えたフロントキャビネットとバックキャビネットとを有して表示ユニットを内蔵する表示部、この表示部を支持するスタンドを備えた表示装置を開示してある。特許文献１の表示装置において、表示ユニットの下方から突出するように該表示ユニットに固定された取付ブラケットを設け、スタンドには取付ブラケットに固定するための支持ブラケットを設け、これらの支持ブラケットと取付ブラケットとを固定ねじで固定するとともに、取付ブラケットを底部に挿入口が形成しているバックキャビネットで覆い、このバックキャビネットに前記固定ねじが貫通可能な開口孔を形成してある。特許文献１の表示装置は、開口孔の内径を固定ねじの頭部の外径Ｄより大径に形成したものであるから、バックキャビネットを装着した状態のまま、バックキャビネットの外側から支持ブラケットと取付ブラケットを固定する固定ねじを締め付けることができるとともに、表示部からスタンドを取り外す際、開口孔から緩めた固定ねじを簡単に取り出すことができる。これにより、バックキャビネットを取り外すことなく、バックキャビネットの底部の挿入口からスタンドを取り外すことが可能となる。
【先行技術文献】
【特許文献】
【０００４】
【特許文献１】特開２００６−３０６７２号公報
【発明の概要】
【発明が解決しようとする課題】
【０００５】
ところが、特許文献１記載の構成では、スタンドはビスにより取り付けるため、工具が必要であり、着脱が容易ではなく、壁掛けとして使用する場合、表示装置本体とスタンドとを固定するビスを外すといった作業が必要であり、面倒である。さらに、壁掛けの際、スタンドを外した後、表示装置本体側の挿入口が開口状態になり、見栄えが悪い、という欠点を有していた。
【０００６】
また、製造された液晶テレビジョン等の表示装置は、出荷に際し、段ボール箱に収納して梱包される。従来の表示装置にあっては、表示装置本体にスタンドが取り付けられた状態で梱包される場合、スタンドによる収納容積が大きくなり、段ボール箱が大型になり、また、スタンドを表示装置本体に取り付けない状態で梱包される場合、スタンドが別梱包となり、梱包数が倍増し、製品全体の梱包サイズが大きく、輸送・保管費用が高くなり、改善策が要望されていた。
【０００７】
本発明は斯かる事情に鑑みてなされたものであり、主たる目的は、表示装置本体の下部に垂設された枢軸に、該枢軸回りに回動可能に取り付けられている２つの足部をスタンドが有する構成とすることにより、足部の回動で容易にスタンドの回動位置を切り替えることができ、表示装置の使用状態に応じてスタンドを取り付ける／取り外す必要がなく、壁掛けとして使用するとき表示装置本体に開口部を残すことなく見栄えもよく、スタンドと表示装置本体別梱包の必要がなく製品全体の梱包サイズを小さくできるスタンド、前記スタンドを構成するスタンド部材及び前記スタンドを備える表示装置を提供することにある。
【課題を解決するための手段】
【０００８】
本発明に係るスタンドは、パネル型の表示装置における表示面を有する表示装置本体を支持するスタンドにおいて、前記表示装置本体の下部に垂設された枢軸に、該枢軸回りに回動可能に取り付けられている足部を２つ有することを特徴とする。
【０００９】
また、本発明に係るスタンドは、前記２つの足部は前記枢軸のそれぞれに沿って上下移動可能に構成され、前記２つの足部を上方へ付勢する付勢手段をさらに備えることを特徴とする。
【００１０】
また、本発明に係るスタンドは、パネル型の表示装置の表示面を有する表示装置本体を支持するスタンドにおいて、前記表示装置本体の下部に垂設されているピンが移動可能に挿嵌されている足部長孔がそれぞれ形成されている２つの足部と、連結軸で前記２つの足部の各一端部と枢動自在に連結され、前記２つの足部を、両足部長孔が前記ピンに沿って連動しながら回動させるように操作する操作杆とを有することを特徴とする。
【００１１】
また、本発明に係るスタンドは、前記連結軸は、前記表示装置本体の底面に開設されている前後に長い案内孔に挿嵌されていることを特徴とする。
【００１２】
また、本発明に係るスタンド部材は、被取り付け物への取り付け用の取り付け部と、基体及び前記基体を覆って挿通孔が形成されているカバーを含む足部と、前記挿通孔に挿通されて上端部が前記取り付け部に固定され、下端部が前記足部の挿通孔より大きい抜け止め部が形成されている枢軸と、前記カバー及び前記抜け止め部の間に位置して前記枢軸に嵌合されている圧縮バネとを備えることを特徴とする。
【００１３】
本発明に係る表示装置は、表示面を有する表示装置本体と、前記表示装置本体を支持するスタンドとを備える表示装置において、前記スタンドは、前記表示装置本体の下部に垂設された枢軸に、該枢軸回りに回動可能に取り付けられている足部を２つ有することを特徴とする。
【００１４】
また、本発明に係る表示装置は、前記２つの足部の前記表示装置本体に対する回動を規制する規制手段をさらに備えることを特徴とする。
【００１５】
また、本発明に係る表示装置は、前記２つの足部は、前記枢軸のそれぞれに沿って上下移動可能に構成され、前記表示装置は、前記２つの足部を上方へ付勢する付勢手段をさらに備えることを特徴とする。
【００１６】
また、本発明に係る表示装置は、前記表示装置本体の底面は、前記２つの足部の形状それぞれと対応する形状を有する２つの凹部が形成されていることを特徴とする。
【００１７】
また、本発明に係る表示装置は、前記規制手段は、前記２つの足部の上面それぞれに形成されている２つのリブと、前記２つのリブの形状それぞれと対応し、前記表示装置本体の底面に形成されている前記表示面と交差する方向の２つの凹溝とによって構成されていることを特徴とする。
【００１８】
また、本発明に係る表示装置は、前記付勢手段は前記枢軸に嵌合されているコイルバネであることを特徴とする。
【００１９】
また、本発明に係る表示装置、前記規制手段は、前記２つの足部の上面それぞれに垂設されている２つのピンと、前記足部が前記表示面に沿う方向になるように回動された場合における前記２つのピンの位置それぞれと対応して前記表示装置本体の底面に形成されている２つのピン挿入孔とによって構成されていることを特徴とする。
【００２０】
また、本発明に係る表示装置は、前記枢軸に嵌合され、一端が前記表示装置本体に係止され、他端が前記２つの足部に係止され、前記表示面と交差する方向へ該足部を付勢するねじりバネをさらに有することを特徴とする。
【００２１】
また、本発明に係る表示装置は、表示面を有する表示装置本体と、前記表示装置本体を支持するスタンドとを備える表示装置において、前記スタンドは、前記表示装置本体の下部に垂設されているピンが移動可能に挿嵌されている足部長孔がそれぞれ形成されている２つの足部と、連結軸で前記２つの足部の各一端部と枢動自在に連結され、前記２つの足部を、両足部長孔が前記ピンに沿って連動しながら回動させるように操作する操作杆とを有することを特徴とする。
【００２２】
また、本発明に係る表示装置は、前記連結軸は、前記表示装置本体の底面に開設されている前後に長い案内孔に挿嵌されていることを特徴とする。
【００２３】
本発明に係るスタンド及び表示装置にあっては、スタンドの足部が表示装置本体の下方で枢軸を中心として回動する。表示装置本体を起立状態で支持しようとする場合、足部を表示面に交差する方向になるように回動し、表示装置を梱包するか又は壁掛けとして使用しようとする場合、足部を表示面に沿う方向になるように回動する。
【００２４】
本発明に係るスタンド及び表示装置にあっては、前記付勢手段の付勢力により、足部を表示装置本体と離れることなく安定に保持することが出来る。
【００２５】
本発明に係るスタンド及び表示装置にあっては、前記操作杆を前後方向に移動させて前記連結軸を移動させると、前記２つの足部を、両足部長孔が前記ピンに沿って連動しながら回動させ、スタンドが表示装置本体の下方で回動変位可能になる。表示装置本体を起立状態で支持しようとする場合、足部を表示面に交差する方向になるように回動し、表示装置を梱包するか又は壁掛けとして使用しようとする場合、足部を表示面に沿う方向になるように回動する。
【００２６】
本発明に係るスタンド及び表示装置にあっては、前記操作杆を前後方向に移動させて前記連結軸を前記移動案内孔に沿って移動させると、前記２つの足部が該移動に連動して前記表示装置本体に対して回動する。
【００２７】
本発明に係るスタンド部材にあっては、枢軸が挿通孔に挿通されて上端部が取り付け部に固定され、下端の抜け止め部と前記カバーとの間に該枢軸に嵌合されている圧縮バネを設けることで、足部が前記枢軸に対して回動自在に保持され、かつ圧縮バネの付勢力により、被取り付け部と離れることなく安定に保持される。
【００２８】
本発明に係る表示装置にあっては、規制手段を利用してスタンドを所定の位置に規制することで、表示装置の使用状態に応じてスタンドを安定に保持できる。
【００２９】
本発明に係る表示装置にあっては、表示装置本体の底面は、２つの足部の形状とそれぞれ対応する形状を有する２つの凹部が形成されているので、表示装置本体とスタンドとの凹凸形状により、スタンドを表示装置本体と離れることなく安定に表示装置本体に当接させ保持することが出来る。一方、表示装置を壁に掛けて使用する場合、スタンドは表示装置本体の凹部に収納されて表示装置の正面側から見えず、表示装置本体の底部も開口状態になることはないので、外観上いっそう見栄えが良い表示装置が得られる。
【００３０】
本発明に係る表示装置にあっては、前記２つの足部を凹部から表示装置本体の底面方向に引き出し、完全に出た状態で回動させて、前記２つのリブと前記２つの凹溝をそれぞれ合わせることで、適切な位置に安定させて前記２つの足部の位置を維持することができる。
【００３１】
本発明に係る表示装置にあっては、枢軸に嵌合されているコイルバネが付勢手段として用いられることで、簡単な構成で表示装置のコストを低減できる。
【００３２】
本発明に係る表示装置にあっては、前記足部が前記表示面に沿う方向になるように回動された場合、前記２つのピンを前記２つの挿入孔にそれぞれ挿入させることで、前記２つの足部の位置を安定に維持する。
【００３３】
本発明に係る表示装置にあっては、ねじりバネを利用して足部を自動的に前記表示面と交差する方向へ復帰させることで、スタンドの位置を安定に維持する。
【発明の効果】
【００３４】
本発明によれば、スタンドが容易に表示装置本体側に回動され該表示装置本体の底面と近接保持されることができるので、表示装置本体を梱包する際または壁掛けとして使用する際の妨げにならない。したがって、足部の回動で容易にスタンドの位置を切り替えることができ、表示装置の使用状態に応じてスタンドを取り付ける／取り外す必要がない。一方、壁掛けとして使用するとき、表示装置本体に開口部を残すことなく見栄えもよく、スタンドと表示装置本体とを別梱包する必要がなく製品全体の梱包サイズを小さくできる。
【図面の簡単な説明】
【００３５】
【図１】実施形態１に係る表示装置のスタンドを表示装置本体側に回動した状態を示す背面図である。
【図２】実施形態１に係る表示装置のスタンドを表示装置本体側に回動した状態を示す底面図である。
【図３】実施形態１に係る表示装置のスタンド設置作業時の状態を示す背面図である。
【図４】実施形態１に係る表示装置のスタンド設置作業時の状態を示す底面図である。
【図５】実施形態１に係る表示装置のスタンド設置完了時の状態を示す背面図である。
【図６】実施形態１に係る表示装置のスタンド設置完了時の状態を示す底面図である。
【図７】実施形態１に係る表示装置のスタンド設置完了時の状態を示す側面図である。
【図８】（ａ）は実施形態１に係る表示装置の足部の構造を示す上面図、（ｂ）は表示装置本体の構造を示す底面図である。
【図９】実施形態２に係る表示装置のスタンドが表示面に沿う方向になるように回動された状態を示す背面図である。
【図１０】実施形態２に係る表示装置のスタンドが表示面に沿う方向になるように回動された状態を示す底面図である。
【図１１】実施形態２に係る表示装置のスタンドが表示面に沿う方向になるように回動された状態を示す側面図である。
【図１２】実施形態２に係る表示装置のスタンドの引出状態を示す背面図である。
【図１３】実施形態２に係る表示装置のスタンドの引出状態を示す底面図である。
【図１４】実施形態２に係る表示装置のスタンドの引出状態を示す側面図である。
【図１５】実施形態２に係る表示装置の足部の内部構造を示す断面図である。
【図１６】（ａ）は実施形態３に係る表示装置のスタンドが表示面に沿う方向になるように回動された状態を示す正面図、（ｂ）は表示装置のスタンドが表示面に沿う方向になるように回動された状態を示す底面図、（ｃ）は表示装置のスタンドが表示面に沿う方向になるように回動された状態を示す側面図である。
【図１７】（ａ）は実施形態３に係る表示装置のスタンドの引出状態を示す正面図、（ｂ）は表示装置のスタンドの引出状態を示す底面図、（ｃ）は表示装置のスタンドの引出状態を示す側面図である。
【図１８】図１６（ｂ）のＸVIII−ＸVIII線の断面図である。
【発明を実施するための形態】
【００３６】
以下に、本発明をその実施の形態を示す図面に基づいて詳述する。
【００３７】
（実施形態１）
図１は本実施形態１に係る表示装置１の一部破断した背面図であって、表示装置１のスタンドを表示装置本体側に回動した状態を示した。図２は本実施形態１に係る表示装置１のスタンドを表示装置本体側に回動した状態を示す底面図である。図３は本実施形態１に係る表示装置１の一部破断した背面図であって、スタンド設置作業時の状態を示した。図４は本実施形態１に係る表示装置１のスタンド設置作業時の状態を示す底面図である。図５は本実施形態１に係る表示装置１の一部破断した背面図であって、スタンド設置完了時の状態を示した。図６は本実施形態１に係る表示装置１のスタンド設置完了時の状態を示す底面図である。図７は本実施形態１に係る表示装置１の一部破断した側面図であって、スタンド設置完了時の状態を示した。
【００３８】
図１〜７に示すように、本発明の表示装置１は、表示装置本体１０とスタンド３０によって構成される。表示装置本体１０は、表示面を有する表示部１００と該表示部１００の周縁部及び後側を被覆するバックキャビネット２００からなる。スタンド３０は表示装置本体１０に取り付けられて、表示装置１を据え置き使用する際該表示装置本体１０を起立状態で支持する。スタンド３０は横方向に並べられる第１の足部３００と第２の足部３００Ａとからなり、第１の足部３００と第２の足部３００Ａとは同様に構成されたので、以下単に第１の足部３００を例として説明し、第２の足部３００Ａの説明を省略する。第１の足部３００は、スタンドホルダ３０１、スタンドカバー３０２、スタンドベース３０３、スタンド枢軸３０４、バネ３０５を備えており、スタンドホルダ３０１を介して表示装置本体１０の底部に取り付けられている。
【００３９】
スタンド枢軸３０４はスタンドカバー３０２の上部に形成した挿通孔に挿通されて、上端部がスタンドホルダ３０１に固定されており、下端部は前記挿通孔より拡径の抜け止め部３０４ａを有する。バネ３０５は前記スタンドカバー３０２及び前記抜け止め部３０４ａの間に位置し、スタンド枢軸３０４に嵌合されている。スタンドベース３０３はスタンドカバー３０２に取り付けられている。スタンド枢軸３０４の抜け止め部３０４ａの規制により、スタンド足部３００は表示装置本体と離れることなく、スタンド枢軸３０４を中心として回動自在に保持されている。
【００４０】
図８（ａ）は本実施形態１に係る表示装置１の足部３００の構造を示す上面図、図８（ｂ）は表示装置１の表示装置本体１０の構造を示す底面図である。図８（ａ）、図８（ｂ）に示すように、足部３００は、リブ３００ａが形成されている凸形状になり、表示装置本体１０の下部は、足部３００の凸形状と対応する凹部１０ａが形成されている。また、表示装置本体１０の底面部には、枢軸３０４の軸心と前後に直交する直交線に沿って足部３００のリブ３００ａと対応する凹溝１０ｂが開設されている。
【００４１】
バネ３０５は圧縮型のコイルバネであり、図１、２に示すスタンドが表示面に沿う方向になるように回動された状態下、バネ３０５は圧縮されているので、上方への回復力が発生される。このように構成された表示装置１は、バネ３０５により足部３００が上方へ付勢され、表示装置本体との凹凸形状により、足部３００を表示装置本体１０と離れることなく安定に表示装置本体に当接させ凹部１０ａに保持することが出来る。上記の構成によれば、本実施形態１の表示装置１を壁に掛けて使用する場合、スタンド３０は外される必要がなく、表示装置本体１０の凹部１０ａ内に収納されて表示装置１の正面側から見えることがなく、表示装置本体側の底部も開口状態になることはないので、外観上見苦しくない表示装置が得られる。
【００４２】
本実施形態１の表示装置１を据え置きとして使用するようにスタンド設置作業時、図３、４に示した表示装置１のスタンド設置作業時の状態のように、足部３００を底面方向に引き出し足部３００が凹部１０ａから完全に出た状態で、図４の矢印Ａの方向に沿って９０°回動させることで、図４の二点鎖線で示した形状の通り、スタンドカバー３０２に形成されたリブ３００ａを表示装置本体１０の凹溝１０ｂに合わせて止着させる。これにより、表示装置１は図５〜７に示したスタンド設置完了時の状態になり、図１、２に示したスタンドが表示装置本体１０の凹部１０ａ内に収納された状態と比べて、バネ３０５はさらに圧縮され、より強い回復力で足部３００を上方へ付勢している。したがって、足部３００がさらに安定に保持され、据え置きとして使用することが可能となる表示装置が得られる。
【００４３】
また、表示装置１を据え置き状態から壁に掛けて使用するときは上記と逆手順にてスタンド３０を表示装置本体側へ回動して設置する。具体的には、足部３００を底面方向に引き出しリブ３００ａが凹溝１０ｂから完全に出た状態で、図４の矢印Ａの方向と反対する方向に沿って９０°回動させることで、図４の実線で示した形状に従って足部３００を表示装置本体１０の凹部１０ａに合せて収納する。
【００４４】
以上のように構成された本実施形態１の表示装置１は、ビスなどの締結部品なしにスタンドを収納・引出設置することができ、壁掛け対応のときに容易に表示装置本体に収納可能で且つ表示装置本体に開口部を残すことなく見栄えもよく、別梱包の必要がなく製品全体の梱包サイズを小さく出来る表示装置を提供することができる。
【００４５】
（実施形態２）
以下に、実施形態２に係る表示装置２について説明する。上述した実施形態１の表示装置１は、凹凸形状と圧縮バネの付勢とにより、足部を表示装置本体の凹部１０ａ内に収納する構成であった。これに対して、本実施形態２の表示装置２は、ねじりバネと位置規制構造とを利用して足部の回動変位を行う構成とする。
【００４６】
図９は本実施形態２に係る表示装置２のスタンドが表示面に沿う方向になるように回動された状態を示す一部破断した背面図、図１０は表示装置２のスタンドが表示面に沿う方向になるように回動された状態を示す底面図、図１１は表示装置２のスタンドが表示面に沿う方向になるように回動された状態を示す一部破断した側面図である。図１２は本実施形態２に係る表示装置２のスタンドの引出状態を示す一部破断した背面図、図１３は表示装置２のスタンドの引出状態を示す底面図、図１４は表示装置２のスタンドの引出状態を示す一部破断した側面図である。
【００４７】
図９〜１４に示すように、本発明の表示装置２は、表示装置本体１１とスタンド３１によって構成される。表示装置本体１１は、表示面を有する表示部１１０と該表示部１１０の周縁部及び後側を被覆するバックキャビネット２１０からなる。スタンド３１は表示装置本体１１に取り付けられて、表示装置を据え置き使用する際該表示装置本体１１を起立状態で支持する。スタンド３１は横方向に並べられる第１の足部３１０と第２の足部３１０Ａからなり、第１の足部３１０と第２の足部３１０Ａは同様に構成されたので、以下単に第１の足部３１０を例として説明し、第２の足部３１０Ａの説明を省略する。足部３１０は、足部本体３１１、バネ３１５、レバー３１６を備え、表示装置本体１１の底面部に形成されている挿入孔１１ａに嵌入される枢軸３１１ａで表示装置本体１１の底面に回動自在に取り付けられている。
【００４８】
図１５は本実施形態２に係る表示装置２の足部の内部構造を示す断面図である。図１５に示すように、バネ３１５は、線材の中間部が巻回されているねじりコイルバネを用いており、枢軸３１１ａに挿嵌支持され、一端を表示装置本体１１の係止部１１ｂに係止し、他端を足部３１０の係止部３１０ａに係止している。レバー３１６は足部本体３１１内部に配置され、略中央部に足部本体３１１のベースに固定されたレバー軸３１６ａを有する。レバー３１６の一端は足部本体３１１の側面部に形成されている移動案内孔３１１ｂから延出して移動案内孔３１１ｂによって上下方向にその移動を案内され、他端は足部本体３１１の上面部と表示装置本体１１の底面部にそれぞれ設けられている挿入孔３１１ｃと１１ｃに挿入すべきピン３１６ｂを形成されている。
【００４９】
表示装置２を壁掛けとして使用時スタンドが表示面に沿う方向になるように回動された状態で、レバー３１６の前記一端が移動案内孔３１１ｂの下端に当接し、レバーのピン３１６ｂが位置符合されている挿入孔３１１ｃ，１１ｃに挿入されている。これにより、足部３１０の回動が規制され、表示装置２は壁掛けとして使用される際、足部３１０が表示装置本体１１と離れることなく安定に保持され、表示装置本体側の底部も開口状態になることはないので、外観上見苦しくない表示装置が得られる。
【００５０】
表示装置１１を据え置き使用場合、レバー３１６の前記一端を上方へ移動させて移動案内孔３１１ｂの上端に当接させると、ピン３１６ｂが挿入孔３１１ｃ，１１ｃから離し、バネ３１５の回復力によって、足部３１０が図１０の矢印Ｂの示す方向に沿って９０°回動させ図１２〜１４で示すように使用位置に変位される。これにより、表示装置２を据え置きとして使用することが可能となる。
【００５１】
また、表示装置２を壁掛け使用時は、足部３１０を矢印Ｂの方向と逆方向に沿って９０°回動させて足部３１０の挿入孔３１１ｃと表示装置本体の挿入孔１１ｃを符合させた後、レバー３１６の前記一端を下方へ移動させ移動案内孔３１１ｂの下端に当接させてピン３１６ｂを挿入孔３１１ｃ，１１ｃに挿入させることによって、バネ３１５の回復力に打勝って足部３１０を安定に保持することが出来る。
【００５２】
以上のように構成された本実施形態２の表示装置２は、ビスなどの締結部品なしにスタンドを設置することができ、壁に掛けて使用する場合も容易にスタンドを表示装置本体１１側に回動可能で且つ表示装置本体に開口部を残すことなく見栄えもよく、別梱包の必要がなく製品全体の梱包サイズを小さく出来る表示装置を提供することができる。
【００５３】
（実施形態３）
以下に、実施形態３に係る表示装置３について説明する。上述した実施形態１、２の表示装置は、足部を表示装置本体の下で枢軸を中心として回動させてスタンドの回動変位を行う構成であった。これに対して、本実施形態３の表示装置３は、連動手段を利用して足部の回動を行う構成とする。
【００５４】
図１６（ａ）は本実施形態３に係る表示装置３のスタンドが表示面に沿う方向になるように回動された状態を示す正面図、図１６（ｂ）は表示装置３のスタンドが表示面に沿う方向になるように回動された状態を示す底面図、図１６（ｃ）は表示装置３のスタンドが表示面に沿う方向になるように回動された状態を示す側面図である。図１７（ａ）は本実施形態３に係る表示装置３のスタンドの引出状態を示す正面図、図１７（ｂ）は表示装置３のスタンドの引出状態を示す底面図、図１７（ｃ）は表示装置２のスタンドの引出状態を示す側面図である。
【００５５】
図１６、１７に示すように、本発明の表示装置３は、表示装置本体１２とスタンド３２によって構成される。表示装置本体１２は、表示面を有する表示部１２０と該表示部１２０の周縁部及び後側を被覆するバックキャビネット２２０からなる。スタンド３２は表示装置本体１２に取り付けられて、表示装置３を据え置き使用する際該表示装置本体１２を起立状態で支持する。
【００５６】
スタンド３２は、操作杆３２１、操作杆３２１と連動する第１及び第２の足部３２２，３２３、操作杆３２１と第１及び第２の足部３２２，３２３の各一端部を相対回動自在に連結する連結軸３２４を備えている。表示装置本体１２０の底面部に、連結軸３２４の軸心と前後に直交する直交線に沿ってその長手方向が配置されるように開設され、該連結軸３２４を前後に移動案内する長孔状の移動案内孔１２１を有する。図１８は図１６（ｂ）のＸVIII−ＸVIII線の断面図を示し、図１８の断面図に示すように、連結軸３２４は操作杆３２１と、第１の足部３２２と、第２の足部３２３とを順に連結して移動案内孔１２１に嵌挿され鍔部にて抜け止めされている。第１及び第２の足部３２２，３２３には第１及び第２の長孔３２２ａ，３２３ａがそれぞれ開設されている。表示装置本体１２の底面部には、前記第１及び第２の長孔３２２ａ，３２３ａにそれぞれ嵌挿されながら、下端部が前記第１及び第２の長孔３２２ａ，３２３ａの幅より大きい抜け止め部が形成され、上端部が前記移動案内孔１２１の両側に固定された第１及び第２の規制ピン１２２，１２３を設けている。上記の操作杆３２１と、第１及び第２の足部３２２，３２３と、連結軸３２４とによって連動手段を形成され、連結軸３２４が移動案内孔１２１を移動させることで、第１及び第２の足部が連動して回動されるように構成されている。
【００５７】
連動手段による第１及び第２の足部３２２，３２３の動作は次の通りである。表示装置３を壁掛けとして使用時スタンド３０が表示面に沿う方向になる状態で、図１６（ｂ）に示すように、連結軸３２４が移動案内孔１２１の表示面側の一端に当接し、第１の足部３２２の長孔３２２ａの移動案内孔１２１側の一端が規制ピン１２２に当接し、第２の足部３２３の長孔３２３ａの移動案内孔１２１側の一端が規制ピン１２３に当接し、第１及び第２の足部３２２，３２３が表示面と平行となるように保持される。操作杆３２１が表示装置の背面側に引き出されて連結軸３２４を移動案内孔１２１に沿って移動させ移動案内孔１２１の表示装置背面側の他端に当接させると、第１及び第２の足部３２２，３２３が該操作杆３２１の移動に従って表示面の方向へ回動され、長孔３２２ａの他端が規制ピン１２２に当接し、長孔３２３ａの他端が規制ピン１２３に当接し、図１７で示すようなスタンド引出位置に変位されている。これにより、引出位置に変位されたスタンドで表示装置３を支持して据え置きとして使用することが可能となる。また、据え置きとして使用するとき、表示装置の自重によって、第１及び第２の足部３２２，３２３のこの状態を安定に維持可能となる。
【００５８】
また、表示装置１を壁掛け使用時は、操作杆３２１を表示面側に押し込んで連結軸３２４を移動案内孔１２１の表示面側の一端に当てさせると、第１及び第２の足部３２２，３２３が該操作杆３２１の移動に連動して背面側の方向へ回動され表示面に平行するように変位されることによって、表示装置３を壁掛けとして使用する際の妨げにならないようにスタンド３２を引戻すことが可能となる。
【００５９】
以上のように構成された本実施形態３の表示装置３は、ビスなどの締結部品なしにスタンドを回動設置することができ、壁掛け対応のときに容易にスタンドを表示面側に回動可能で且つ表示装置本体に開口部を残すことなく見栄えもよく、別梱包の必要がなく製品全体の梱包サイズを小さく出来る表示装置を提供することができる。
【００６０】
以上、図面に基づいて本発明の実施形態を詳述したが、本発明は前記実施形態に限定されるものではなく、本発明の要旨の範囲内で種々の変形実施が可能である。例えば、前記実施形態１、２において、足部を９０°回動させ表示面と垂直させることで、表示装置を起立状態で支持するが、図４の二点鎖線で示した形状の通り、スタンドカバー３０２に形成されたリブ３００ａと表示装置本体１０の凹溝１０ｂを合せて止着させる構成としたが、足部をその他の角度で回動させてもよい。この場合においても、足部は表示装置の表示面と交差して角度をなし該表示装置を起立状態で支持することが出来る。即ち、スタンドは、表示装置として使用する際表示装置本体を起立状態で支持し、表示装置を壁掛けとして使用する際、表示装置本体側に回動され壁掛けの妨げにならない形状であればよい。
【００６１】
また、本発明に係る表示装置は液晶テレビジョン等の液晶表示装置である他、プラズマ表示装置、ＥＬ表示装置等の表示装置であってもよい。
【符号の説明】
【００６２】
１、２、３  表示装置
１０、１１、１２  表示装置本体
１０ａ  凹部
１０ｂ  凹溝
３０、３１、３２  スタンド
３００、３１０  第１の足部
３００Ａ、３１０Ａ  第２の足部
３０１  スタンドホルダ
３０２  スタンドカバー
３０３  スタンドベース
３０４  スタンド枢軸
３０４ａ  抜け止め部
３０５  バネ
３００ａ  リブ
３１５  バネ
３１６ｂ  ピン
１１ｃ  挿入孔
３１１ａ  枢軸
３２１  操作杆
３２２  第１の足部
３２３  第２の足部
３２４  連結軸
１２１  移動案内孔
３２２ａ  第１の長孔
３２３ａ  第２の長孔
１２２  第１の規制ピン
１２３  第２の規制ピン
【図１】
2010271639.tif 000003
【図２】
2010271639.tif 000004
【図３】
2010271639.tif 000005
【図４】
2010271639.tif 000006
【図５】
2010271639.tif 000007
【図６】
2010271639.tif 000008
【図７】
2010271639.tif 000009
【図８】
2010271639.tif 000010
【図９】
2010271639.tif 000011
【図１０】
2010271639.tif 000012
【図１１】
2010271639.tif 000013
【図１２】
2010271639.tif 000014
【図１３】
2010271639.tif 000015
【図１４】
2010271639.tif 000016
【図１５】
2010271639.tif 000017
【図１６】
2010271639.tif 000018
【図１７】
2010271639.tif 000019
【図１８】
2010271639.tif 000020